(57)【要約】  【課題】  排気用ダクトと給気用ダクトをまとめ、且つショートサーキットを効果的に防止すること。  【解決手段】  互いに分離された２個のダクト係合部１３、１４と、該各ダクト係合部１３、１４に連続し且つ互いに分離され互いに異なる方向を向くよう通気孔１１ａ、１２ａが形成された２個の半通気室１１、１２とを有する同一構成の第１、第２ダクトカバー１０Ａ、１０Ｂを用いる。この第１、第２ダクトカバー１０Ａ、１０Ｂを係合フック１５と係合爪１６により係合して合わせ、互いに分離した２個の筒形状のダクト係合部と互いに分離した２個の通気室を有するダクトカバー１０を形成する。このとき２個の通気室の通気孔は異なる方向を向く。【選択図】  図１
2006153322.tif 000002
【特許請求の範囲】
【請求項１】
屋外に引き出される換気ダクトの先端に取り付けられるダクトカバーにおいて、
ダクト係合部と、該ダクト係合部に結合される給気用および排気用のダクトと個別に連通し且つ互いに分離され各々が通気孔をもつ給気用通気室と排気用通気室とを設け、
該通気孔は互いに異なる向きに配置されていることを特徴とするダクトカバー。
【請求項２】
請求項１に記載のダクトカバーは、
第１ダクト係合部と給気用第１半通気室と排気用第１半通気室を有する第１ダクトカバーと、第２ダクト係合部と給気用第２半通気室と排気用第２半通気室を有する第２ダクトカバーとで構成されていることを特徴とするダクトカバー。
【請求項３】
請求項２に記載のダクトカバーにおいて、
前記第１ダクトカバーおよび前記第２ダクトカバーに、互いに係合可能となるようカバー係合部とカバー被係合部がそれぞれ形成されていることを特徴とするダクトカバー。
【請求項４】
請求項２又は３に記載のダクトカバーにおいて、
前記第１ダクトカバーおよび前記第２ダクトカバーのそれぞれの半通気室の間に、曲げ構造が形成されていることを特徴とするダクトカバー。
【請求項５】
屋外に引き出される換気ダクトの先端に取り付けられるダクトカバーにおいて、
第１ダクト係合部、通気孔が設けられた第１半通気室、およびカバー係合部を有する第１ダクトカバーと、第２ダクト係合部、通気孔が設けられた第２半通気室、およびカバー被係合部を有する第２ダクトカバーと、前記第１ダクト係合部と前記第２ダクト係合部とを曲折自在に結合する折り曲げ部とで構成されていることを特徴とするダクトカバー。
【請求項６】
請求項５に記載のダクトカバーにおいて、
前記折り曲げ部で折り曲げた状態のダクトカバーの２つを互いに係合させる係合部を設けたことを特徴とするダクトカバー。
【発明の詳細な説明】
【技術分野】
【０００１】
本発明は、屋外に引き出される換気ダクトの先端に取り付けられるダクトカバーに関するものである。
【背景技術】
【０００２】
空気調和機には通常の暖房、冷房、除湿等の機能の他に、室内の換気を行う機能を具備するものが提案されている。例えば、特許文献１には室内の空気を排気用ダクトを介して屋外に排出する換気ユニットを備える構成が記載されている。また、特許文献２には、室内機に無給水加湿ユニットを併設して、その排気用ダクトと給気用ダクトを屋外に引き出した構成が記載されている。
【特許文献１】特開２００４−０６９１０９号公報
【特許文献２】特開２００２−０８１７０１号公報
【発明の開示】
【発明が解決しようとする課題】
【０００３】
ところで、いずれの文献でも、排気用ダクトや給気用ダクトの先端部分にダクトカバーを付設して、虫がそれらダクトを介して室内に侵入することを防止しているが、引用文献１のダクトカバーは単なる防虫用のみの機能しか果たせず、引用文献２のダクトカバーは排気口と吸気口が同じ向きであるため、排気用ダクトから排出した空気が給気用ダクトに入り難くするショートサーキット防止の機能が十分ではない。
【０００４】
本発明の目的は、排気用ダクトと給気用ダクトをまとめることができると共に、ショートサーキットを効果的に防止できるようにしたダクトカバーを提供することである。
【課題を解決するための手段】
【０００５】
請求項１にかかる発明は、屋外に引き出される換気ダクトの先端に取り付けられるダクトカバーにおいて、ダクト係合部と、該ダクト係合部に結合される給気用および排気用のダクトと個別に連通し且つ互いに分離され各々が通気孔をもつ給気用通気室と排気用通気室とを設け、該通気孔は互いに異なる向きに配置されていることを特徴とする。
【０００６】
請求項２にかかる発明は、第１ダクト係合部と給気用第１半通気室と排気用第１半通気室を有する第１ダクトカバーと、第２ダクト係合部と給気用第２半通気室と排気用第２半通気室を有する第２ダクトカバーとで構成されていることを特徴とする。
【０００７】
請求項３にかかる発明は、請求項２に記載のダクトカバーにおいて、前記第１ダクトカバーおよび前記第２ダクトカバーに、互いに係合可能となるようカバー係合部とカバー被係合部がそれぞれ形成されていることを特徴とする。
【０００８】
請求項４にかかる発明は、請求項２又は３に記載のダクトカバーにおいて、前記第１ダクトカバーおよび前記第２ダクトカバーのそれぞれの半通気室の間に、曲げ構造が形成されていることを特徴とする。
【０００９】
請求項５にかかる発明は、屋外に引き出される換気ダクトの先端に取り付けられるダクトカバーにおいて、第１ダクト係合部、通気孔が設けられた第１半通気室、およびカバー係合部を有する第１ダクトカバーと、第２ダクト係合部、通気孔が設けられた第２半通気室、およびカバー被係合部を有する第２ダクトカバーと、前記第１ダクト係合部と前記第２ダクト係合部とを曲折自在に結合する折り曲げ部とで構成されていることを特徴とする。
【００１０】
請求項６にかかる発明は、請求項５に記載のダクトカバーにおいて、前記折り曲げ部で折り曲げた状態のダクトカバーの２つを互いに係合させる係合部を設けたことを特徴とする。
【発明の効果】
【００１１】
請求項１にかかる発明のダクトカバーによれば、ダクト係合部で２個のダクトをまとめることができると共に、通気孔によるショートサーキットの恐れもない。
【００１２】
請求項２にかかる発明のダクトカバーによれば、同一構成の第１および第２ダクトカバーを合わせることによって、ダクトカバーを構成することができ、単体でダクトカバーを形成する場合と比較してコスト的に有利となる。
【００１３】
請求項３にかかる発明のダクトカバーによれば、第１および第２ダクトカバーを合わせる際に、第１および第２ダクトカバーの一方の係合部を他方の被係合部に係合させることにより組み立てが完了し、その組み立てが容易となる。
【００１４】
請求項４、５にかかる発明のダクトカバーによれば、請求項１乃至３にかかる発明のダクトカバーの効果に加えて、１個の換気ダクトの先端に単独のダクトカバーとして取り付けることもできる。
【００１５】
請求項６にかかる発明のダクトカバーによれば、これを排気用ダクトと給気用ダクトにそれぞれ独立して取り付けても、その両ダクトカバーを事後的に一体化することができ、排気用ダクトと給気用ダクトの先端をまとめることができる。
【発明を実施するための最良の形態】
【００１６】
本実施例では、同一構成のダクトカバーを２個合わせることによりダクトカバーを形成し、排気用ダクトと給気用ダクトの先端をまとめ、且つショートサーキットを防止する。また、ある場合では、独立した１個のダクトカバーとしても可能なようにする。以下、詳しく説明する。
【実施例１】
【００１７】
図１は実施例１のダクトカバー１０の斜視図である。図１に示すダクトカバー１０は、同一構成の第１、第２ダクトカバー１０Ａ、１０Ｂを合わせたものである。
【００１８】
図２は第１ダクトカバー１０Ａと排気用ダクト２０、給気用ダクト３０との関係を示す図である。図１、図２において、第１ダクトカバー１０Ａは、外壁の一部に通気孔１１ａが形成された半通気室１１、その通気孔１１ａと反対側の外壁に通気孔１２ａが形成された半通気室１２、半通気室１１に連続するダクト係合部１３、半通気室１２に連続するダクト係合部１４を有する。半通気室１１、１２は互いに分離し、ダクト係合部１３、１４も互いに分離している。ダクト係合部１３、１４の内壁にはリブ１３ａ、１４ａが形成されている。１５は係合フック、１６は係合爪である。第２ダクトカバー１０Ｂの第１ダクトカバー１０Ａと同じ部分は、同符号に「’」を付けて表す。
【００１９】
本実施例１では、ダクト係合部１３に排気用ダクト２０を、ダクト係合部１４に給気用ダクト３０をはめて、第１、第２ダクトカバー１０Ａ、１０Ｂを合わせることにより、図１に示すように組み立てられる。このとき、対向する半通気室１１、１２’が１つの独立した通気室を構成し、対向する半通気室１１’、１２が１つの別の独立した通気室を構成する。また、対向するダクト係合部１３、１４’が１つの筒型のダクト係合部を構成し、対向するダクト係合部１３’、１４が別の筒型のダクト係合部を構成する。排気用ダクト２０はそのリブ２１がダクト係合部１３のリブ１３ａとダクト係合部１４’のリブ１４ａ’に係止して引き抜け不能となり、給気用ダクト３０はそのリブ３１がダクト係合部１４のリブ１４ａとダクト係合部１３’のリブ１３ａ’に係合して引き抜け不能となる。また、第１ダクトカバー１０Ａの係合フック１５が第２ダクトカバー１０Ｂの係合爪１６’に係合し、第２ダクトカバー１０Ｂの係合フック１５’が第１ダクトカバー１０Ａの係合爪１６に係合して両者が一体化するが、その一体化は孔１７、１７’にネジ（図示せず）を挿通することにより、より強固となる。
【００２０】
この組立状態のダクトカバー１０は、排気用ダクト２０の先端が位置する半通気室１１、１２’で構成される通気室の通気孔１１ａ、１２ａ’と、給気用ダクト３０の先端が位置する半通気室１１’、１２で構成される通気室の通気孔１１ａ’、１２ａが互いに反対を向くので、排気用ダクト２０から半通気室１１、１２’を経由して通気孔１１ａ、１２ａ’から排気される空気が、通気孔１１ａ’、１２ａに回り込み半通気室１１’、１２から給気用ダクト３０に回り込むいわゆるショートサーキットが形成されることはない。また、排気用ダクト２０と給気用ダクト３０はダクトカバー１０によってその先端部分がまとめられるので、両ダクト２０、３０をまとめる特別な部材が要求されることもない。
【実施例２】
【００２１】
図３は実施例２のダクトカバー４０の分解斜視図である。このダクトカバー４０は、同一構成の第１、第２ダクトカバー４０Ａ、４０Ｂを合わせて構成される。第１ダクトカバー４０Ａについて説明すると、その第１ダクトカバー４０Ａは、外壁に通気孔４１ａを有する半通気室４１、外壁に通気孔４２ａを有する半通気室４２、半通気室４１に連続するダクト係合部４３、半通気室４２に連続するダクト係合部４４、ダクト係合部４３、４４の間に形成されたヒンジ４５、ダクト係合部４３の外側に形成された係合フック４６、ダクト係合部４４の外側に形成された係合爪４７を有する。半通気室４１、４２は６０度程度の角度で異なる方向を向くよう形成され、通気孔４１ａ、４２ａは互いに反対方向を向いている。また、ダクト係合部４３、４４の内壁にはリブ４３ａ、４３ａが形成されている。第２ダクトカバー４０Ｂの第１ダクトカバー４０Ａと同じ部分は、同符号に「’」を付けて表す。
【００２２】
本実施例２では、第１ダクトカバー４０Ａのダクト係合部４３に排気用ダクト２０をはめ、ダクト係合部４４に給気用ダクト３０をはめて、その第１ダクトカバー４０Ａに第２ダクトカバー４０Ｂを合わせ、第１ダクトカバー４０Ａの係合フック４６を第２ダクトカバー４０Ｂの係合爪４７’に係合することにより、排気用ダクト２０と給気用ダクト３０をリブ２１、３１、４３ａ、４４ａ、４３ａ’、４４ａ’により引き抜け不能にはめ込んだ形で第１、第２ダクトカバー４０Ａ、４０Ｂが一体化される。このとき、対向する半通気室４１、４２’が１つの独立した通気室を構成し、対向する半通気室４１’、４２が１つの別の独立した通気室を構成する。また、対向するダクト係合部４３、４４’が１つの筒型のダクト係合部を構成し、対向するダクト係合部４３’、４４が別の筒型のダクト係合部を構成する。
【００２３】
この組立状態のダクトカバー４０は、半通気室４１、４２’で構成される通気室の通気孔４１ａ、４２ａ’と、半通気室４１’、４２で構成される通気室の通気孔４１ａ’、４２ａが互いに反対方向を向くので、排気用ダクト２０から半通気室４１、４２’を経由して通気孔４１ａ、４２ａ’から排気される空気が、通気孔４１ａ’、４２ａに回り込み半通気室４１’、４２から給気用ダクト３０に回り込むショートサーキットが形成されることはない。また、排気用ダクト２０と給気用ダクト３０はダクトカバー４０によってその先端部分がまとめられるので、両ダクト２０、３０をまとめる特別な部材が要求されることもない。
【００２４】
本実施例２の第１又は第２ダクトカバー４０Ａ又は４０Ｂは、これ１個で１つの排気用ダクト２０あるいは給気用ダクト３０の先端に防虫構造を形成することもできる。図４は第１ダクトカバー４０Ａを排気用ダクト２０に取り付ける説明図である。ダクト係合部４３又は４４に排気用ダクト２０をはめ込んでから、ヒンジ４５の部分を内側に折り曲げ、係合フック４６を係合爪４７に係合することにより、ダクト係合部４３がダクト係合部４４を覆い、半通気室４１が半通気室４２を覆うようになり、ダクト係合部４３、４４が１つの筒形状のダクト係合部となり、半通気室４１、４２が１つの通気室となって、一体化される。つまり、１個の第１ダクトカバー４０Ａにより１個の排気用ダクト２０用のダクトカバーを構成することができる。
【００２５】
図５は別の構成例の第１ダクトカバー４０Ａ１を示す分解図である。ここでは、図３、図４で示した第１ダクトカバー４０Ａのヒンジ４５に代えて、このヒンジ部分を軸構造に変更している。つまり、ダクト係合部４４の側に突起４８ａを有する軸部４８を形成し、ダクト係合部４３の側に凹部４９ａを有する軸部４９を２個並べて形成して、突起４８ａを凹部４９ａにはめ合わせることにより、軸部４８と４９が１本の軸として構成されるようにしたものである。このようにして組み立てられる軸構造は、図３、図４に示したヒンジ４５と同様の作用をするが、ヒンジに比べて疲労劣化が少なく耐久性が高くなる。
【００２６】
図６は別の構成例の第１、第２ダクトカバー４０Ａ２、４０Ｂ２を示す図である。ここでは、図３、図４で示した第１ダクトカバー４０Ａのヒンジ４５の外側に、スライド嵌合部５０、５１を形成し、第２ダクトカバー４０Ｂのヒンジ４５’の外側に、スライド嵌合部５０’、５１’を形成している。なお、これら第１、第２ダクトカバー４０Ａ２、４０Ｂ２は同一構成である。
【００２７】
この例では、第１ダクトカバー４０Ａ２を、ダクト係合部４３、４４で排気用ダクト２０を挟持してから係合フック４６と係合爪４７により閉じ、第２ダクトカバー４０Ｂ２を、ダクト係合部４３’、４４’で給気用ダクト３０を挟持してから係合フック４６’と係合爪４７’により閉じる。これにより第１ダクトカバー４０Ａ２の半通気室４１、４１により通気室が形成され、第２ダクトカバー４０Ｂ２の半通気室４１’，４２’により通気室が形成される。そして、これら独立してダクトカバーを形成した状態で、スライド嵌合部５０にスライド嵌合部５０’が嵌合し、スライド嵌合部５１にスライド嵌合部５１’が嵌合するように、第１、第２ダクトカバー４０Ａ２、４０Ｂ２を相互にスライドさせれば、両者は一体化される。
【００２８】
よって、排気用ダクト２０と給気用ダクト３０に、第１ダクトカバー４０Ａ２によるダクトカバー、第２ダクトカバー４０Ｂ２によるダクトカバーをそれぞれ取り付けても、その２個のダクトカバーを事後的に一体化することができ、排気用ダクト２０と給気用ダクト３０の先端をまとめることができる。
【００２９】
なお、この図６のダクトカバーは、図示のように第１、第２ダクトカバー４０Ａ２、４０Ｂ２をそれぞれ排気用ダクト２０、給気用ダクト３０の先端に取り付けてから、互いをスライド嵌合部５０、５１、５０’５１’により一体化して排気用ダクト２０と給気用ダクト３０をまとめる他に、図３で説明したように、第１、第２ダクトカバー４０Ａ２、４０Ｂ２を開いた状態で合わせることによりダクトカバーを形成して排気用ダクト２０と給気用ダクト３０に一体化させることもできる。
【００３０】
また、以上の実施例１，２では、排気用ダクト２０や給気用ダクト３０は、ダクトカバーのダクト係合部で外側から挟持されることにそこに結合される構造について説明したが、ダクト係合部に挿入することによりそこに結合されるようにしてもよい。
【図面の簡単な説明】
【００３１】
【図１】実施例１のダクトカバーの組立斜視図である。
【図２】実施例１の第１ダクトカバーと排気用ダクトと給気用ダクトとの関係を示す斜視図である。
【図３】実施例２のダクトカバーと排気用ダクトと給気用ダクトとの関係を示す分解斜視図である。
【図４】実施例２の第１ダクトカバーの別の用例を示す斜視図である。
【図５】実施例２の第１ダクトカバーのヒンジ部分の変形例の分解斜視図である。
【図６】実施例２の第１、第２ダクトカバーの別の結合例の説明のための斜視図である。
【符号の説明】
【００３２】
１０：ダクトカバー、１０Ａ：第１ダクトカバー、１０Ｂ：第２ダクトカバー、１１、１２：半通気室、１１ａ、１２ａ：通気孔、１３、１４：ダクト係合部、１３ａ、１４ａ：リブ、１５：係合フック、１６：係合爪、１７：孔
２０：排気用ダクト、２１：リブ
３０：給気用ダクト、３１：リブ
４０：ダクトカバー、４０Ａ：第１ダクトカバー、４０Ｂ：第２ダクトカバー、４１Ａ１：第１ダクトカバー、４０Ａ２：第１ダクトカバー、４０Ｂ２：第２ダクトカバー、４１、４２：半通気室、４１ａ、４２ａ：通気孔、４３、４４：ダクト係合部、４３ａ、４４ａ：リブ、４５：ヒンジ、４６：係合フック、４７：係合爪、４８、４９：軸部、４８ａ：突起、４９ａ：凹部、５０、５１：スライド嵌合部
【図１】
2006153322.tif 000003
【図２】
2006153322.tif 000004
【図３】
2006153322.tif 000005
【図４】
2006153322.tif 000006
【図５】
2006153322.tif 000007
【図６】
2006153322.tif 000008